(57)【特許請求の範囲】
【請求項１】
外部電源から供給される電力を電力変換して光源ユニットに供給する電源ユニットと、前記電源ユニットを制御して前記光源ユニットに供給される出力電力を調整させる第１の制御ユニットとを有し、
前記第１の制御ユニットは、第１制御部と、調光信号出力部と、第１インタフェース部とを備え、
前記第１制御部は、前記調光信号出力部から前記電源ユニットへ調光信号を出力させるように構成され、
前記調光信号出力部は、前記電源ユニットに対して前記出力電力の大きさを指示する前記調光信号を出力するように構成され、
前記第１インタフェース部は、前記第１制御部と第２の制御ユニットとの間で制御情報を授受させるように構成され、
前記第１制御部は、前記第１インタフェース部を介して前記第２の制御ユニットから前記制御情報を受け取った場合、前記制御情報に対応した前記調光信号を前記調光信号出力部から前記電源ユニットへ出力させ、
前記第１インタフェース部は、前記第２の制御ユニットが備える第２コネクタと着脱可能に電気的かつ機械的に接続される第１コネクタを有し、
前記第１コネクタ及び前記第２コネクタは、互いの接続状態を維持するためのロック機構をそれぞれに備えており、前記ロック機構は、前記第１コネクタ及び前記第２コネクタの一方に設けられるロック爪と、前記第１コネクタと前記第２コネクタの他方に設けられる受け部とで構成され、前記ロック爪が前記受け部内に挿入されて前記受け部内の突起に引っ掛かることによって前記ロック機構がロックされることを特徴とする照明制御装置。
【請求項２】
前記第２の制御ユニットは、周囲の環境を検知する環境検知部と、前記環境検知部の検知結果に応じて前記制御情報を生成し、かつ、生成した前記制御情報を前記第１インタフェース部に送出する第２制御部とを備えることを特徴とする請求項１記載の照明制御装置。
【請求項３】
前記第２の制御ユニットは、時間をカウントするタイマと、前記タイマでカウントする前記時間に応じて前記制御情報を生成し、かつ、生成した前記制御情報を前記第１インタフェース部に送出する第２制御部とを備えることを特徴とする請求項１記載の照明制御装置。
【請求項４】
前記電源ユニットは、電力変換回路と、前記調光信号に応じて前記電力変換回路を制御する制御回路と、前記電力変換回路及び前記制御回路の動作用電源を生成する動作用電源回路とを備え、
前記第１の制御ユニットの前記第１制御部は、前記動作用電源で動作するように構成されることを特徴とする請求項１〜３のいずれか１項に記載の照明制御装置。
【請求項５】
前記第１の制御ユニットは、前記第１インタフェース部より前記第２の制御ユニットへ前記動作用電源を供給するように構成され、
前記第２の制御ユニットは、前記動作用電源で動作するように構成されることを特徴とする請求項４記載の照明制御装置。
【請求項６】
請求項１〜５のいずれかの照明制御装置と、前記照明制御装置の出力電力が供給されて点灯する光源ユニットとを有することを特徴とする照明装置。
【請求項７】
請求項６の照明装置と、前記照明装置を支持する器具本体とを有することを特徴とする照明器具。
【発明の詳細な説明】
【技術分野】
【０００１】
本発明は、照明制御装置、照明装置及び照明器具に関し、より詳細には、電源ユニットと制御ユニットで構成される照明制御装置、当該照明制御装置と光源を備える照明装置、及び当該照明装置と器具本体を有する照明器具に関する。
【背景技術】
【０００２】
従来例として、特許文献１記載の照明制御システムを例示する。特許文献１記載の照明制御システム（以下、従来例と呼ぶ。）は、コントローラ（照明制御装置）、通信ユニット、照明装置、設定装置などを備える。コントローラは、初期照度補正用の設定データを記憶する記憶部を備える。設定データは、照明装置の光源の累積点灯時間の経過に伴って当該光源の調光率を変化させるパターンを設定するデータである。コントローラは、累積点灯時間の経過に伴う調光率のパターンを記憶部から読み出して照明装置に送信する。照明装置は、コントローラから受け取る調光率のパターンに従って、ＬＥＤ光源を調光する。
【先行技術文献】
【特許文献】
【０００３】
【特許文献１】特開２０１３−１６５００４号公報
【発明の概要】
【発明が解決しようとする課題】
【０００４】
ところで、従来例は、コントローラの記憶部に記憶する設定データが書き換えられることにより、運用後に新たに製品化等されたものを含む様々な光源について、適切な初期照度補正を行うことを可能とすることを目的としている。つまり、特許文献１記載の従来例は、ハードウェアの追加を要しない機能の追加には対処できるが、ハードウェアの追加を要する機能の追加には対処できない。
【０００５】
本発明は、上記課題に鑑みてなされており、ハードウェアの追加を要する機能を容易に追加可能とすることを目的とする。
【課題を解決するための手段】
【０００６】
本発明の照明制御装置は、外部電源から供給される電力を電力変換して光源ユニットに供給する電源ユニットと、前記電源ユニットを制御して前記光源ユニットに供給される出力電力を調整させる第１の制御ユニットとを有し、前記第１の制御ユニットは、第１制御部と、調光信号出力部と、第１インタフェース部とを備え、前記第１制御部は、前記調光信号出力部から前記電源ユニットへ調光信号を出力させるように構成され、前記調光信号出力部は、前記電源ユニットに対して前記出力電力の大きさを指示する前記調光信号を出力するように構成され、前記第１インタフェース部は、前記第１制御部と第２の制御ユニットとの間で制御情報を授受させるように構成され、前記第１制御部は、前記第１インタフェース部を介して前記第２の制御ユニットから前記制御情報を受け取った場合、前記制御情報に対応した前記調光信号を前記調光信号出力部から前記電源ユニットへ出力させ、前記第１インタフェース部は、前記第２の制御ユニットが備える第２コネクタと着脱可能に電気的かつ機械的に接続される第１コネクタを有し、前記第１コネクタ及び前記第２コネクタは、互いの接続状態を維持するためのロック機構をそれぞれに備えており、前記ロック機構は、前記第１コネクタ及び前記第２コネクタの一方に設けられるロック爪と、前記第１コネクタと前記第２コネクタの他方に設けられる受け部とで構成され、前記ロック爪が前記受け部内に挿入されて前記受け部内の突起に引っ掛かることによって前記ロック機構がロックされることを特徴とする。
【０００７】
本発明の照明装置は、照明制御装置と、前記照明制御装置の出力電力が供給されて点灯する光源ユニットとを有することを特徴とする。
【０００８】
本発明の照明器具は、照明装置と、前記照明装置を支持する器具本体とを有することを特徴とする。
【発明の効果】
【０００９】
本発明の照明制御装置、照明装置及び照明器具は、ハードウェアの追加を要する機能を容易に追加可能となるという効果がある。
【図面の簡単な説明】
【００１０】
【図１】本実施形態に係る照明制御装置及び照明装置のブロック図である。
【図２】図２Ａは本実施形態に係る照明制御装置におけるレセプタクルコネクタ及びプラグコネクタの斜視図、図２Ｂは本実施形態に係る照明制御装置における別の構成のレセプタクルコネクタ及びプラグコネクタの斜視図である。
【図３】本実施形態に係る照明制御装置及び照明装置の回路ブロック図である。
【図４】本実施形態に係る照明制御装置におけるデューティ比と出力レベルの関係を説明するための説明図である。
【図５】本実施形態に係る照明制御装置の第３の制御ユニットを示す回路ブロック図である。
【図６】本実施形態に係る照明制御装置の第４の制御ユニットを示す回路ブロック図である。
【図７】本実施形態に係る照明器具の斜視図である。
【発明を実施するための形態】
【００１１】
以下、本実施形態に係る照明制御装置Ａ、照明装置Ｂ及び照明器具Ｃについて、図面を参照して詳細に説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態に係る照明装置Ｂは、図１に示すように、照明制御装置Ａと、照明制御装置Ａの出力電力が供給されて点灯する光源ユニット４とを有する。また、本実施形態に係る照明制御装置Ａは、図１に示すように、電源ユニット１と、第１の制御ユニット２とを有する。さらに、本実施形態に係る照明制御装置Ａは、第２の制御ユニット３を有することが好ましい。電源ユニット１と第１の制御ユニット２とは、第１接続媒体５Ａを介して電気的に接続されることが好ましい。また、第１の制御ユニット２と第２の制御ユニット３とは、第２接続媒体５Ｂを介して電気的に接続されることが好ましい。
【００１３】
第１接続媒体５Ａ及び第２接続媒体５Ｂは、例えば、図２Ａ又は図２Ｂに示すようなレセプタクルコネクタ５０、５２と、プラグコネクタ５１、５３とで構成されることが好ましい。図２Ａに示すレセプタクルコネクタ５０は、直方体形状のハウジング５００内に凹所５０１が設けられ、凹所５０１内に複数本（図示例では３本）のコンタクト５０２が等間隔に並べて配置されるように構成される。一方、図２Ａに示すプラグコネクタ５１は、直方体形状のハウジング５１０に複数（図示例で３つ）の凹部５１１が設けられ、複数の凹部５１１のそれぞれにコンタクト受けが収容されるように構成される。つまり、レセプタクルコネクタ５０のハウジング５００の凹所５０１内に、プラグコネクタ５１のハウジング５１０が挿入される。そして、レセプタクルコネクタ５０の複数本のコンタクト５０２のそれぞれがプラグコネクタ５１のハウジング５１０の複数の凹部５１１のそれぞれに差し込まれ、複数のコンタクト受けとそれぞれ電気的に接続される。なお、レセプタクルコネクタ５０とプラグコネクタ５１とは、複数のコンタクト受けのばね力（弾性力）によって接続状態が維持される。
【００１４】
一方、図２Ｂに示すレセプタクルコネクタ５２とプラグコネクタ５３は、図２Ａに示すレセプタクルコネクタ５０とプラグコネクタ５１の構成に加えて、接続状態を維持するためのロック機構をそれぞれに備えている。ロック機構は、例えば、プラグコネクタ５３に設けられるロック爪５３３と、レセプタクルコネクタ５２に設けられる受け部５２３とで構成されることが好ましい。ロック爪５３３が受け部５２３内に挿入されて受け部５２３内の突起に引っ掛かることによってロック機構がロックされ、レセプタクルコネクタ５０とプラグコネクタ５１との接続状態が維持される。
【００１５】
なお、第１接続媒体５Ａ及び第２接続媒体５Ｂは、上述したコネクタに限定されず、例えば、複数の電線（導体）がシースで覆われたケーブルなどで構成されてもよい。
【００１６】
電源ユニット１は、例えば、図３に示すように、第１整流回路１０と、第１昇圧チョッパ回路１１Ａ及び第２昇圧チョッパ回路１１Ｂと、第１降圧チョッパ回路１２Ａ及び第２降圧チョッパ回路１２Ｂと、制御回路１３とを備えることが好ましい。また、電源ユニット１は、雑音防止回路１４と、雷サージ保護回路１５と、ＤＣ−ＤＣ変換回路１６と、第２整流回路１７と、動作用電源回路１８とを備えることが好ましい。
【００１７】
第１整流回路１０は、外部電源（商用の交流電源）６から入力される交流電圧を全波整流する全波整流回路で構成されている。全波整流回路は、ダイオードブリッジ回路である。
【００１８】
第１昇圧チョッパ回路１１Ａ及び第２昇圧チョッパ回路１１Ｂは、第１整流回路１０の一対の出力端間に電気的に並列に接続されている。第１昇圧チョッパ回路１１Ａ及び第２昇圧チョッパ回路１１Ｂは、第１整流回路１０から出力される脈流電圧を昇圧して力率を改善する力率改善回路である。
【００１９】
第１降圧チョッパ回路１２Ａは、第１昇圧チョッパ回路１１Ａの一対の出力端間に電気的に接続されている。第１降圧チョッパ回路１２Ａは、第１昇圧チョッパ回路１１Ａから出力される直流電圧を降圧して光源ユニット４（の第１ＬＥＤモジュール４０）に出力するように構成される。また、第２降圧チョッパ回路１２Ｂは、第２昇圧チョッパ回路１１Ｂの一対の出力端間に電気的に接続されている。第２降圧チョッパ回路１２Ｂは、第２昇圧チョッパ回路１１Ｂから出力される直流電圧を降圧して光源ユニット４（の第２ＬＥＤモジュール４１）に出力するように構成される。
【００２０】
制御回路１３は、第１降圧チョッパ回路１２Ａ及び第２降圧チョッパ回路１２Ｂを制御する回路であり、例えば、制御ＩＣ（Integrated Circuit）、あるいは、マイクロコントローラにより構成されることが好ましい。
【００２１】
雑音防止回路１４は、第１整流回路１０の入力側に設けられるフィルタ回路であり、例えば、チョークコイルを備えた１つのノイズフィルタにより構成されることが好ましい。
【００２２】
雷サージ保護回路１５は、雷サージに起因した電源ユニット１や光源ユニット４の絶縁破壊を防止するための回路であり、例えば、サージ吸収素子などを有することが好ましい。
【００２３】
ＤＣ−ＤＣ変換回路１６は、ＰＷＭ信号からなる調光信号を、ＰＷＭ信号のデューティ比に比例した直流電圧信号に変換して出力する回路である。
【００２４】
制御回路１３は、ＤＣ−ＤＣ変換回路１６から出力される直流電圧信号（調光信号）のレベルに応じて、第１降圧チョッパ回路１２Ａ及び第２降圧チョッパ回路１２Ｂの出力を調整することにより、光源ユニット４を調光点灯させるように構成される。
【００２５】
また、制御回路１３は、電源ユニット１の異常や光源ユニット４の異常を感知し、感知した異常に関する情報（以下、異常感知情報と呼ぶ）を外部（第１の制御ユニット２を含む）に送信するように構成されることが好ましい。例えば、制御回路１３は、光源ユニット４の点灯時に第１降圧チョッパ回路１２Ａ及び第２降圧チョッパ回路１２Ｂの出力電流を計測し、出力電流の計測値を所定のしきい値と比較することで光源ユニット４の不点を感知することが好ましい。つまり、光源ユニット４に開放故障が生じた場合、電源ユニット１から光源ユニット４へ電流が流れなくなり、出力電流の計測値がしきい値を下回る。これにより、制御回路１３は、光源ユニット４の不点を感知することができる。また、制御回路１３は、電源ユニット１における漏れ電流を計測したり、短絡故障の有無や異常な電圧上昇の有無などを感知（判定）することが好ましい。そして、制御回路１３は、上述のような異常を感知した場合、感知した異常の種類（内容）を含む異常感知情報を、レセプタクルコネクタ５０を介して第１の制御ユニット２へ送信する。
【００２６】
第２整流回路１７は、ＤＣ−ＤＣ変換回路１６の前段に設けられる全波整流回路であり、ＰＷＭ信号が伝送される伝送路（第１接続媒体５Ａに含まれる導体）を無極性化することができる。
【００２７】
動作用電源回路１８は、第１整流回路１０の出力電圧（脈流電圧）から動作用電圧（例えば、３．３［Ｖ］〜５［Ｖ］程度の直流電圧）を作成するように構成される。このような動作用電源回路１８は、シリーズレギュレータやスイッチングレギュレータで構成されることが好ましい。そして、動作用電源回路１８で作成される動作用電圧（動作用電源）は、電源ユニット１を構成する、昇圧チョッパ回路、降圧チョッパ回路、制御回路などに供給される。また、この動作用電圧（動作用電源）は、第１接続媒体５Ａを通して第１の制御ユニット２にも供給されることが好ましい。
【００２８】
光源ユニット４は、図３に示すように、第１ＬＥＤモジュール４０と第２ＬＥＤモジュール４１を有することが好ましい。第１ＬＥＤモジュール４０及び第２ＬＥＤモジュール４１は、例えば、矩形平板状の基板の表面に、多数の発光ダイオード（ＬＥＤ）が実装されて構成されることが好ましい。これらのＬＥＤは、基板の表面に形成される導電体（銅箔）によって互いに電気的に接続される。さらに、基板には、電源ユニット１の出力端子と電線を介して電気的に接続されるコネクタなどが実装されることが好ましい。なお、図３に示すように、第１ＬＥＤモジュール４０は、第１降圧チョッパ回路１２Ａの出力端間に電気的に接続され、第１降圧チョッパ回路１２Ａから供給される直流電流で点灯するように構成される。一方、第２ＬＥＤモジュール４１は、第２降圧チョッパ回路１２Ｂの出力端間に電気的に接続され、第２降圧チョッパ回路１２Ｂから供給される直流電流で点灯するように構成される。
【００２９】
第１の制御ユニット２は、図３に示すように、第１制御部２０、調光信号出力部２１、第１インタフェース部２６を備える。また、第１の制御ユニット２は、記憶部２２、ＤＣ入力部２３、停電検知部２４、設定部２５を備えることが好ましい。
【００３０】
調光信号出力部２１は、第１制御部２０から指示される調光レベルに対応したデューティ比のＰＷＭ（パルス幅変調）信号を生成し、このＰＷＭ信号（調光信号）を第１接続媒体５Ａを介して電源ユニット１へ出力するように構成される。ここで、調光レベル、すなわち、電源ユニット１が光源ユニット４に供給する直流電力（直流電流）の出力レベルと、ＰＷＭ信号のデューティ比との関係を図４に示す。図４に示すように、デューティ比が０〜５［％］のときに調光レベル（出力レベル）を１００［％］とし、かつ、デューティ比が９８［％］以上（ただし、１００［％］を除く。）のときに調光レベル（出力レベル）を５［％］（下限値）とする。そして、デューティ比が５〜９８［％］のとき、調光レベル（出力レベル）は、デューティ比の増加に対して一定の割合で減少する。したがって、電源ユニット１のＤＣ−ＤＣ変換回路１６から出力される直流電圧信号（調光信号）の信号レベル（電圧値）は、調光レベル（出力レベル）の下限値（５［％］）で最大となり、かつ、調光レベル（出力レベル）の定格値で最小となる。ただし、図４に示した関係は一例であって、調光レベル（出力レベル）とデューティ比との関係は、図４に示した関係に限定されない。
【００３１】
電源ユニット１の制御回路１３は、ＤＣ−ＤＣ変換回路１６から出力される調光信号の信号レベルが最大値のときに第１降圧チョッパ回路１２Ａ及び第２降圧チョッパ回路１２Ｂの出力電流を下限値とし、信号レベルが最小値のときに出力電流を定格値に調整する。また、制御回路１３は、原則として、調光信号の信号レベルがゼロのときは第１降圧チョッパ回路１２Ａ及び第２降圧チョッパ回路１２Ｂの出力を定格値とすることが好ましい。ただし、外部電源６が投入された直後は、第１昇圧チョッパ回路１１Ａ及び第２昇圧チョッパ回路１１Ｂの出力電圧が定格電圧に達していないため、第１降圧チョッパ回路１２Ａ及び第２降圧チョッパ回路１２Ｂの出力電圧が安定しない。そのため、制御回路１３は、外部電源６の投入時から所定時間（以下、準備期間と呼ぶ。）が経過するまでの間、調光信号を受け付けず、かつ、第１降圧チョッパ回路１２Ａ及び第２降圧チョッパ回路１２Ｂを停止することが好ましい。つまり、準備期間中は電源ユニット１からの給電が行われないため、光源ユニット４が消灯状態に維持される。そして、準備期間が経過すれば第１昇圧チョッパ回路１１Ａ及び第２昇圧チョッパ回路１１Ｂの出力電圧が安定する。その準備期間の後、制御回路１３は、第１降圧チョッパ回路１２Ａ及び第２降圧チョッパ回路１２Ｂを動作させて調光信号に対応した出力レベルの直流電力を光源ユニット４に供給させる。その結果、光源ユニット４は、調光信号で指示される調光レベルで点灯する。
【００３２】
第１制御部２０は、マイクロコントローラで構成されることが好ましい。第１制御部２０は、第２の制御ユニット３から受け取る制御情報に基づいて、調光信号出力部２１に指示する調光レベルを調整することが好ましい。また、第１制御部２０は、第１接続媒体５Ａを介して電源ユニット１から異常感知情報を受け取り、受け取った異常感知情報に基づいて、電源ユニット１の制御回路１３に停止コマンドを送信することが好ましい。制御回路１３は、停止コマンドを受け取ると、第１降圧チョッパ回路１２Ａ及び第２降圧チョッパ回路１２Ｂを停止する。さらに、制御回路１３は、停止コマンドを受け取ると、第１昇圧チョッパ回路１１Ａ及び第２昇圧チョッパ回路１１Ｂも停止することが好ましい。ただし、第１制御部２０は、停止コマンドを送信する代わりに、調光レベルを下限値とし、調光信号出力部２１から下限値の調光レベルに対応した調光信号（ＰＷＭ信号）を出力させてもよい。
【００３３】
第１インタフェース部２６は、例えば、図２Ａに示すレセプタクルコネクタ５０又は図２Ｂに示すレセプタクルコネクタ５２と同一の構成を有するレセプタクルコネクタで構成されることが好ましい。あるいは、第１インタフェース部２６は、図２Ａに示すプラグコネクタ５１又は図２Ｂに示すプラグコネクタ５３と同一の構成を有するプラグコネクタで構成されてもよい。なお、第１インタフェース部２６には、後述するシリアルバス（伝送路）と、動作用電圧（動作用電源）用の給電路とが含まれる（図３参照）。
【００３４】
記憶部２２は、第１制御部２０によって電気的に書換可能な不揮発性の半導体メモリ（例えば、フラッシュメモリやＥＥＰＲＯＭなど）で構成されることが好ましい。記憶部２２は、第１の制御ユニット２と組み合わせて使用可能な電源ユニット１の種類（型番）、複数の種類（型番）毎の定格値（定格電流や定格電圧の値など）、第１の制御ユニット２のロット番号等を記憶することが好ましい。
【００３５】
ＤＣ入力部２３は、蓄電素子を有することが好ましい。蓄電素子は、電解コンデンサや電気二重層コンデンサ、あるいは、リチウムイオン電池などの２次電池が好ましい。ＤＣ入力部２３は、電源ユニット１の動作用電源回路１８から第１接続媒体５Ａを介して供給される動作用電圧で蓄電素子を充電（蓄電）し、かつ、第１制御部２０などに動作用電圧を供給するように構成される。なお、ＤＣ入力部２３は、電源ユニット１の動作用電源回路１８から動作用電圧の供給が停止した場合、蓄電素子に蓄電された電気エネルギーを放出（放電）することにより、ある程度の時間（数秒〜数分）、動作用電圧の供給を継続することができる。
【００３６】
停電検知部２４は、電源ユニット１の動作用電源回路１８からＤＣ入力部２３に供給される動作用電圧を検出することで外部電源６の停電を検知するように構成される。停電検知部２４は、停電を検知したときに停電検知信号をＤＣ入力部２３へ出力するように構成される。ＤＣ入力部２３は、停電検知信号を受け取ると、蓄電素子に蓄電された電気エネルギーを放電させて第１制御部２０に動作用電圧を供給することが好ましい。
【００３７】
設定部２５は、例えば、ディップスイッチで構成されることが好ましい。設定部２５は、本実施形態に係る照明装置Ｂの用途（屋外用と屋内用、あるいは住宅用と非住宅用）、定格電流（２００［ｍＡ］、４００［ｍＡ］）、倍率（０．８倍、０．９倍、１．１倍など）などの設定値を択一的に設定するように構成される。第１制御部２０は、例えば、起動時に設定部２５の設定内容を読み込んで記憶部２２に記憶することが好ましい。
【００３８】
記憶部２２は、例えば、照明装置Ｂの複数の用途にそれぞれ対応した複数のデータテーブルを記憶することが好ましい。つまり、調光レベル（出力レベル）とデューティ比との関係（図４参照）が複数の用途毎に異なる場合、それぞれの用途に対応した調光レベルとデューティ比との関係が複数のデータテーブルにそれぞれ保存されている。
【００３９】
第１制御部２０は、記憶部２２から設定部２５の設定内容に対応したデータテーブルを参照して、電源ユニット１へ指示する調光レベルを決定することが好ましい。
【００４０】
第２の制御ユニット３は、図３に示すように、第２制御部３０、環境検知部３１、記憶部３２、第２インタフェース部３３、停電検知部３４、第３インタフェース部３５などを備える。
【００４１】
環境検知部３１は、周囲の環境、例えば、周囲の移動体（人や車両など）の存在、周囲の明るさ（照度）、周囲の温度（気温）などを検知するように構成される。例えば、環境検知部３１は、焦電素子により人体から放射される赤外線を検出したり、超音波やミリ波を送波して物体までの距離を測距したり、周囲の画像を撮像したりすることで移動体の存在を検知することが好ましい。環境検知部３１は、移動体の存在を検知して検知信号を出力するように構成されることが好ましい。
【００４２】
第２制御部３０は、マイクロコントローラで構成されることが好ましい。第２制御部３０は、環境検知部３１から出力される検知信号を受け取ると、記憶部２２のデータテーブルを参照し、検知信号に対応した調光レベル（制御情報）を決定する。第２制御部３０は、決定した調光レベルを、ＵＡＲＴ（Universal Asynchronous Receiver/Transmitter）などのシリアル通信によって第１の制御ユニット２の第１制御部２０へ送信する。例えば、第２制御部３０は、移動体を検知した検知信号を受け取った場合、調光レベルを第１レベル（例えば、５０％）から第２レベル（例えば、９０％）に変更し、変更後の調光レベル（第２レベル）を第１制御部２０に送信（指示）することが好ましい。また、第２制御部３０は、検知信号を受け取らなくなってから所定の待機時間が経過すると、調光レベルを第２レベルから第１レベルに変更し、変更後の調光レベル（第１レベル）を第１制御部２０に送信（指示）することが好ましい。この場合、照明装置Ｂは、移動体（例えば、人）が存在しないときの光量（光束）を減少させ、移動体が存在するときの光量を増大させることにより、省エネルギー化を図ることがでる。
【００４３】
さらに、第２制御部３０は、初期照度補正機能を搭載していることが好ましい。初期照度補正機能とは、光源ユニット４の使用開始から寿命末期までの間、光源ユニット４の光出力をほぼ一定（例えば、定格の８５％）に保つように、光源ユニット４の累積点灯時間に対応して光出力を調整する機能である。すなわち、第２制御部３０は、マイクロコントローラに内蔵されているタイマで光源ユニット４の累積点灯時間を計時して記憶部３２に記憶し、かつ、データテーブルに保存されている初期照度補正特性を参照して、累積点灯時間に対応した調光レベルを決定する。ここで、初期照度補正特性は、累積点灯時間が増加するにしたがって、調光レベルを徐々に増加させるような特性である。
【００４４】
また、第２制御部３０は、第１制御部２０から第２接続媒体５Ｂを介して電源ユニット１の異常感知情報（例えば、光源ユニット４の不点を感知した情報）を受け取り、受け取った異常感知情報を、記憶部３２に記憶する。さらに、第２制御部３０は、外部から問い合わせを受け取った場合、記憶部３２に記憶されている最新の異常感知情報を、問い合わせ元（外部）に出力することが好ましい。このとき、第２制御部３０は、異常感知情報に含まれる異常感知の種類に対応した識別符号を外部へ出力することが好ましい。なお、異常感知情報（識別符号）の出力先は、照明装置Ｂ（あるいは、照明器具Ｃ）の保守・管理を行うメンテナンス会社のサーバなどが想定される。
【００４５】
記憶部３２は、第２制御部３０によって電気的に書換可能な不揮発性の半導体メモリ（例えば、フラッシュメモリやＥＥＰＲＯＭなど）で構成されることが好ましい。記憶部３２は、上述のように、光源ユニット４の累積点灯時間や異常感知情報などを記憶することが好ましい。
【００４６】
第２インタフェース部３３は、第１の制御ユニット２の第１インタフェース部２６と着脱可能に電気的かつ機械的に接続されるように構成されることが好ましい。第２インタフェース部３３は、例えば、図２Ａに示すプラグコネクタ５１又は図２Ｂに示すプラグコネクタ５３と同一の構成を有するプラグコネクタで構成されることが好ましい。あるいは、第２インタフェース部３３は、図２Ａに示すレセプタクルコネクタ５０又は図２Ｂに示すレセプタクルコネクタ５２と同一の構成を有するレセプタクルコネクタで構成されてもよい。なお、第２インタフェース部３３には、ＵＡＲＴなどのシリアル通信の伝送路（双方向の２本）と、動作用電圧（動作用電源）用の給電路とが含まれる（図３参照）。
【００４７】
また、第３インタフェース部３５は、例えば、図２Ａに示すレセプタクルコネクタ５０又は図２Ｂに示すレセプタクルコネクタ５２と同一の構成を有するレセプタクルコネクタで構成されることが好ましい。あるいは、第３インタフェース部３５は、図２Ａに示すプラグコネクタ５１又は図２Ｂに示すプラグコネクタ５３と同一の構成を有するプラグコネクタで構成されてもよい。なお、第３インタフェース部３５には、ＵＡＲＴなどのシリアル通信の伝送路（双方向の２本）と、動作用電圧（動作用電源）用の給電路とが含まれる（図３参照）。
【００４８】
停電検知部３４は、第２インタフェース部３３の給電路の電圧を検出することで外部電源６の停電を検知するように構成される。停電検知部３４は、停電を検知したときに停電検知信号を第２制御部３０へ出力するように構成される。なお、第２制御部３０は、停電検知信号を受け取ると、マイクロコントローラの内蔵タイマで計時している累積点灯時間を記憶部３２に書き込むことが好ましい。
【００４９】
ここで、第２の制御ユニット３は、第１の制御ユニット２を介して電源ユニット１の動作用電源回路１８から供給される動作用電圧（動作用電源）で動作するように構成されている。ただし、環境検知部３１の構成によっては、動作用電源回路１８から供給される動作用電圧での動作が困難な場合もある。例えば、環境検知部３１がミリ波レーダなどのアクティブ型のセンサを有する場合においては、動作用電源回路１８から供給される動作用電圧での動作が困難になるおそれがある。そのような場合、第２の制御ユニット３は、外部電源６から動作用電圧（動作用電源）を作成する電源回路（シリーズレギュレータやスイッチングレギュレータなど）を備えることが好ましい。
【００５０】
ここで、第２の制御ユニット３の第３インタフェース部３５には、例えば、図５に示す第３の制御ユニット３Ａや、図６に示す第４の制御ユニット３Ｂなどが、適宜、電気的かつ機械的に接続されることが好ましい。
【００５１】
第３の制御ユニット３Ａは、電波を媒体とした無線通信を行うように構成される。そのため、第３の制御ユニット３Ａは、図５に示すように、第３制御部３０Ａ、第４インタフェース部３１Ａ、基準発振部３２Ａ、位相比較部３３Ａ、電圧制御発振器３４Ａ、増幅回路３５Ａ、アンテナ３６Ａ、復調回路３７Ａなどを有することが好ましい。
【００５２】
第３制御部３０Ａは、マイクロコントローラで構成されることが好ましい。第３制御部３０Ａは、第２の制御ユニット３の第２制御部３０との間で、ＵＡＲＴなどのシリアル通信によって無線通信用のデータ（送信データ及び受信データ）を送受信する。
【００５３】
第４インタフェース部３１Ａは、第２の制御ユニット３の第３インタフェース部３５と着脱可能に電気的かつ機械的に接続されるように構成されることが好ましい。第４インタフェース部３１Ａは、例えば、図２Ａに示すプラグコネクタ５１又は図２Ｂに示すプラグコネクタ５３と同一の構成を有するプラグコネクタで構成されることが好ましい。あるいは、第４インタフェース部３１Ａは、図２Ａに示すレセプタクルコネクタ５０又は図２Ｂに示すレセプタクルコネクタ５２と同一の構成を有するレセプタクルコネクタで構成されてもよい。なお、第４インタフェース部３１Ａには、ＵＡＲＴなどのシリアル通信の伝送路（双方向の２本）と、動作用電圧（動作用電源）用の給電路とが含まれる（図５参照）。
【００５４】
第３の制御ユニット３Ａにおいては、基準発振部３２Ａ、位相比較部３３Ａ、電圧制御発振器３４Ａ、増幅回路３５Ａによって、ＦＳＫ（周波数シフトキーイング）変調回路が構成されている。基準発振部３２Ａは、キャリア周波数の基準信号を発振する。位相比較部３３Ａは、電圧制御発振器３４Ａの出力の位相と基準信号の位相とを比較し、その比較結果（位相差）を低域通過フィルタでフィルタリングした信号を電圧制御発振器３４Ａに出力する。電圧制御発振器３４Ａは、位相比較部３３Ａの出力信号の電圧に応じて出力の周波数を調整する。つまり、位相比較部３３Ａと電圧制御発振器３４ＡとでＰＬＬ（位相同期）回路が構成されている。そして、第３制御部３０Ａから出力される送信フレームのベースバンド信号によって電圧制御発振器３４Ａの出力周波数を遷移させることにより、ＦＳＫ変調された変調信号が増幅回路３５Ａに入力される。増幅回路３５Ａは、変調信号を増幅してアンテナ３６Ａに出力する。アンテナ３６Ａは、変調信号を電波に変換して放射（送信）する。
【００５５】
復調回路３７Ａは、アンテナ３６Ａで受信する信号から受信フレームを復調（ＦＳＫ復調）するように構成される。復調回路３７Ａは、復調した受信フレームを第３制御部３０Ａに出力する。
【００５６】
第４の制御ユニット３Ｂは、赤外線を媒体とした無線通信を行うように構成される。そのため、第４の制御ユニット３Ｂは、図６に示すように、第４制御部３０Ｂ、第５インタフェース部３１Ｂ、送信部３２Ｂ、受信部３３Ｂ、設定部３４Ｂなどを有することが好ましい。
【００５７】
第４制御部３０Ｂは、マイクロコントローラで構成されることが好ましい。第４制御部３０Ｂは、第３の制御ユニット３Ａの第３制御部３０Ａとの間で、ＵＡＲＴなどのシリアル通信によって無線通信用のデータ（送信データ及び受信データ）を送受信する。
【００５８】
第５インタフェース部３１Ｂは、第３の制御ユニット３Ａの第４インタフェース部３１Ａと着脱可能に電気的かつ機械的に接続されるように構成されることが好ましい。第５インタフェース部３１Ｂは、例えば、図２Ａに示すレセプタクルコネクタ５０又は図２Ｂに示すレセプタクルコネクタ５２と同一の構成を有するレセプタクルコネクタで構成されることが好ましい。あるいは、第５インタフェース部３１Ｂは、図２Ａに示すプラグコネクタ５１又は図２Ｂに示すプラグコネクタ５３と同一の構成を有するプラグコネクタで構成されてもよい。なお、第５インタフェース部３１Ｂには、ＵＡＲＴなどのシリアル通信の伝送路（双方向の２本）と、動作用電圧（動作用電源）用の給電路とが含まれる（図６参照）。
【００５９】
送信部３２Ｂは、１個又は複数個の赤外発光ダイオードと、赤外発光ダイオードを駆動する（発光させる）駆動回路とを有することが好ましい。駆動回路は、第４制御部３０Ｂから与えられる送信コード（送信データ）に応じて赤外発光ダイオードを点滅させるように構成される。
【００６０】
受信部３３Ｂは、フォトダイオード又はフォトトランジスタからなる受光素子を有することが好ましい。受信部３３Ｂは、受光素子で受光する赤外線から受信コード（受信データ）を復調し、復調した受信コード（受信データ）を第４制御部３０Ｂに出力するように構成される。
【００６１】
設定部３４Ｂは、例えば、ディップスイッチで構成されることが好ましい。設定部３４Ｂは、例えば、送信部３２Ｂ及び受信部３３Ｂが赤外線通信に使用するチャネル（周波数）を設定するように構成される。つまり、第４制御部３０Ｂは、設定部３４Ｂの設定値を読み込み、読み込んだ設定値に応じてチャネルを選択することが好ましい。
【００６２】
なお、第４の制御ユニット３Ｂは、第３の制御ユニット３Ａを介して供給される動作用電圧ではなく、電池（ボタン型の１次電池など）から供給される直流電圧で動作するように構成されてもよい。
【００６３】
本実施形態に係る照明器具Ｃは、図７に示すように、道路照明器具（道路灯）である。ただし、本実施形態に係る照明器具は、道路照明器具以外の照明器具、例えば、防犯灯や街路灯などであっても構わない。
【００６４】
本実施形態に係る照明器具Ｃは、図７に示すように、複数（図示例では３つ）の光源ユニット４と、器具本体７０と、アダプタ７１とを備える。アダプタ７１は、照明用ポール８に器具本体７０を機械的に接続するための部品である。
【００６５】
器具本体７０は、ボディ７００と上蓋７０１で構成される。ボディ７００は、アルミダイカストによって上面が開口した扁平な矩形箱状に形成される。また、上蓋７０１は、アルミダイカストによって下面が開口した扁平な矩形箱状に形成される。上蓋７０１は、ボディ７００の開口を開放する開位置と、ボディ７００の開口を閉塞する閉位置との間で回転可能にボディ７００に取り付けられる。なお、上蓋７０１は、自由端側の左右両端がボディ７００にねじ止めされることにより、閉位置に固定される。
【００６６】
器具本体７０内には、本実施形態に係る照明制御装置Ａ、すなわち、電源ユニット１、第１の制御ユニット２、第２の制御ユニット３、端子台などが収容される。端子台は、照明用ポール８内に立ち上げ配線される電源線と電気的に接続される。電源ユニット１は、端子台を介して電源線と電気的に接続される。電源ユニット１は、外部電源６から電源線を介して交流電力が供給される。器具本体７０は、アダプタ７１を介して、照明用ポール８の先端部分に取り付けられる（図７参照）。
【００６７】
光源ユニット４は、ユニット本体４３、カバー４２などを備える。ユニット本体４３は、アルミダイカストにより、４つの辺を有する板状に形成されることが好ましい。カバー４２は、透光板４２０、枠体４２１などを有する。透光板４２０は、透光性を有する材料（アクリル樹脂等の合成樹脂材料や石英ガラスなど）で矩形平板状に形成される。枠体４２１は、アルミダイカストによって矩形の枠状に形成されている。そして、カバー４２は、ユニット本体４３の下面に被せられ、枠体４２１がユニット本体４３にねじ止めされることでユニット本体４３に取り付けられる。
【００６８】
３つの光源ユニット４は、短手方向に沿って連結されることが好ましい。そして、連結された３つの光源ユニット４は、後端の光源ユニット４が器具本体７０の前端に固定される（図７参照）。なお、光源ユニット４同士の固定及び光源ユニット４と器具本体７０の固定は、例えば、ねじ止めによって行われることが好ましい。
【００６９】
ところで、本実施形態に係る照明制御装置Ａは、電源ユニット１と第１の制御ユニット２を最小の構成単位とする。電源ユニット１と第１の制御ユニット２で構成される照明制御装置Ａは、例えば、以下のように動作する。
【００７０】
第１の制御ユニット２の第１制御部２０は、記憶部２２から設定部２５の設定内容に対応したデータテーブルを参照して、電源ユニット１へ指示する調光レベルを決定する。第１制御部２０で決定された調光レベルが調光信号出力部２１でＰＷＭ信号（調光信号）に変換されて電源ユニット１へ出力される。そして、電源ユニット１の制御回路１３は、第１の制御ユニット２から受け取ったＰＷＭ信号の調光レベルに応じて、第１降圧チョッパ回路１２Ａ及び第２降圧チョッパ回路１２Ｂの出力を調整する。その結果、光源ユニット４は、第１の制御ユニット２から指示される調光レベルで点灯する。
【００７１】
また、本実施形態に係る照明制御装置Ａは、電源ユニット１と第１の制御ユニット２に加えて、第２の制御ユニット３を備えてもよい。つまり、第１の制御ユニット２の第１インタフェース部２６に、第２の制御ユニット３の第２インタフェース部３３が電気的かつ機械的に接続されてもよい。
【００７２】
第２制御部３０は、マイクロコントローラに内蔵されているタイマで光源ユニット４の累積点灯時間を計時して記憶部３２に記憶する。さらに、第２制御部３０は、データテーブルに保存されている初期照度補正特性を参照して、定期的（例えば、１分毎）に累積点灯時間に対応した調光レベル（制御情報）を決定する。そして、第２制御部３０は、決定した調光レベルをシリアル通信によって第１の制御ユニット２の第１制御部２０へ送信する。第１制御部２０は、第２の制御ユニット３の第２制御部３０から調光レベルを受信すると、第２制御部３０へ肯定応答（ＡＣＫ）の信号をシリアル通信によって返信する。また、第１制御部２０は、記憶部２２から設定部２５の設定内容に対応したデータテーブルを参照して、第２制御部３０から受信した調光レベルから、電源ユニット１へ指示する調光レベルを決定する。第１制御部２０で決定された調光レベルが調光信号出力部２１でＰＷＭ信号に変換されて電源ユニット１へ出力される。そして、電源ユニット１の制御回路１３は、第１の制御ユニット２から受け取ったＰＷＭ信号の調光レベルに応じて、第１降圧チョッパ回路１２Ａ及び第２降圧チョッパ回路１２Ｂの出力を調整する。その結果、光源ユニット４は、第１の制御ユニット２から指示される調光レベルで点灯する。なお、第２の制御ユニット３の第２制御部３０は、調光レベルをある程度大きく変更する場合、調光レベルを徐々に（段階的に）変更し、光源ユニット４の光出力（光束）をフェードイン及びフェードアウトさせることが好ましい。
【００７３】
また、第２の制御ユニット３の環境検知部３１は、焦電素子を用いた人感センサであってもよい。この場合、第２制御部３０は、環境検知部３１で人の存在を検知している間は、調光レベルを１００％とし、環境検知部３１で人の存在を検知していない間は、調光レベルを３０％とすることが好ましい。また、第２制御部３０は、調光レベルを１００％と３０％にそれぞれ変更する際、調光レベルを調光レベルを徐々に変更し、光源ユニット４の光出力（光束）をフェードイン及びフェードアウトさせることが好ましい。
【００７４】
第２の制御ユニット３の動作をより詳しく説明する。まず、第１の制御ユニット２から第２の制御ユニット３へ動作用電圧の供給が開始されると、第２制御部３０は、環境検知部３１が起動するまでの間、調光レベルを１００％とし、第１制御部２０に指示する。そして、環境検知部３１が起動してから一定時間が経過するまでの間に環境検知部３１が人の存在を検知しなければ、第２制御部３０は、調光レベルを１００％から３０％まで徐々に減少させる。ただし、第２制御部３０は、調光レベルを１００％から３０％及び３０％から１００％まで徐々に変化させる際、人が違和感を感じない程度の時間（例えば、数秒）をかけて変化させることが好ましい。一方、一定時間内に環境検知部３１が人の存在を検知すれば、第２制御部３０は、調光レベルを１００％に維持し、第１制御部２０に１００％の調光レベルを指示する。
【００７５】
なお、環境検知部３１が照度センサの場合、第２制御部３０は、例えば、環境検知部３１で検知される照度（明るさ）を目標値に一致させるように、調光レベルをフィードバック制御することが好ましい。
【００７６】
さらに、本実施形態に係る照明制御装置Ａは、電源ユニット１と第１の制御ユニット２と第２の制御ユニット３に加えて、第３の制御ユニット３Ａを備えてもよい。つまり、第２の制御ユニット３の第３インタフェース部３５に、第３の制御ユニット３Ａの第４インタフェース部３１Ａが電気的かつ機械的に接続されてもよい。なお、第３の制御ユニット３Ａは、メンテナンス会社のサーバとの間で電波を媒体とする無線通信を行うことが好ましい。
【００７７】
既に説明したように、第２の制御ユニット３の第２制御部３０は、第１制御部２０から電源ユニット１の異常感知情報を定期的（例えば、１０分毎）に受け取り、受け取った異常感知情報を記憶部３２に記憶する。そして、第２制御部３０は、第３の制御ユニット３Ａを通じて、メンテナンス会社のサーバから問い合わせを受け取った場合、記憶部３２に記憶されている最新の異常感知情報を第３の制御ユニット３Ａに出力することが好ましい。
【００７８】
第３の制御ユニット３Ａの第３制御部３０Ａは、第２の制御ユニット３から受け取った最新の異常感知情報を含む送信フレームを生成する。生成された送信フレームは、電圧制御発振器３４Ａを通してＦＳＫ変調される。そして、変調された送信フレーム（変調信号）が増幅回路３５Ａで増幅され、アンテナ３６Ａから電波として放射（送信）される。アンテナ３６Ａから送信される無線信号は、メンテナンス会社のサーバで受信される。
【００７９】
また、本実施形態に係る照明制御装置Ａは、電源ユニット１と第１の制御ユニット２と第２の制御ユニット３に加えて、第４の制御ユニット３Ｂを備えてもよい。つまり、第２の制御ユニット３の第３インタフェース部３５に、第４の制御ユニット３Ｂの第５インタフェース部３１Ｂが電気的かつ機械的に接続されてもよい。なお、第４の制御ユニット３Ｂは、例えば、メンテナンス会社の作業員に掲載されるワイヤレス送受信器（リモートコントローラ）との間で赤外線を媒体とする無線通信を行うことが好ましい。
【００８０】
例えば、作業員は、ワイヤレス送受信器を用いて、異常感知情報を問い合わせるためのワイヤレス信号（赤外線信号）を送信する。第４の制御ユニット３Ｂは、ワイヤレス送受信器から送信されるワイヤレス信号を受信部３３Ｂで受信すると、第４制御部３０Ｂから第２の制御ユニット３の第２制御部３０へ異常感知情報を問い合わせる。そして、第２制御部３０は、第４の制御ユニット３Ｂを通じて、異常感知情報の問い合わせを受け取ると、記憶部３２に記憶されている最新の異常感知情報を第４の制御ユニット３Ｂに出力することが好ましい。
【００８１】
第４の制御ユニット３Ｂの第４制御部３０Ｂは、第２の制御ユニット３から受け取った最新の異常感知情報を含む送信コードを生成し、生成した送信コードを送信部３２Ｂに出力する。送信部３２Ｂは、第４制御部３０Ｂから受け取った送信コードをワイヤレス信号（赤外線信号）として送信する。作業者は、第４の制御ユニット３Ｂの送信部３２Ｂから送信されるワイヤレス信号をワイヤレス送受信器で受信することにより、最新の異常感知情報を取得することができる。
【００８２】
ただし、ワイヤレス送受信器から送信されるワイヤレス信号は、異常感知情報の問い合わせのみに限定されない。例えば、第１の制御ユニット２の設定部２５で設定される設定内容を含むワイヤレス信号が、ワイヤレス送受信器から第４の制御ユニット３Ｂへ送信されてもよい。第４の制御ユニット３Ｂは、ワイヤレス送受信器から送信されるワイヤレス信号を受信部３３Ｂで受信すると、ワイヤレス信号に含まれている設定内容を、第４制御部３０Ｂから第２の制御ユニット３の第２制御部３０へ送信させる。そして、第２制御部３０は、第４の制御ユニット３Ｂから受け取った設定内容を第１の制御ユニット２の第１制御部２０へ転送する。第１制御部２０は、記憶部２２に記憶している設定内容を、第２制御部３０から転送された設定内容に書き換える。つまり、作業者は、照明用ポール８を登って照明器具Ｃの器具本体７０内に収容されている第１の制御ユニット２の設定部２５を操作しなくても、ワイヤレス送受信器を使って地上から設定内容を更新することができる。
【００８３】
ここで、無線通信を行うための第３の制御ユニット３Ａや第４の制御ユニット３Ｂは、第２の制御ユニット３と一体に構成されても構わない。しかしながら、第３の制御ユニット３Ａのアンテナ３６Ａや、第４の制御ユニット３Ｂの送信部３２Ｂ及び受信部３３Ｂが、金属製の器具本体７０内に収容されてしまうと無線通信が極めて困難になる。そのため、無線通信用のユニット（第３の制御ユニット３Ａ及び第４の制御ユニット３Ｂ）は、第２の制御ユニット３と別体、かつ、器具本体７０の外に設置可能な構造とされることが好ましい。
【００８４】
上述のように、本実施形態に係る照明制御装置Ａ、照明装置Ｂ及び照明器具Ｃでは、第２〜第４の制御ユニット３、３Ａ、３Ｂを適宜追加することにより、電源ユニット１と第１の制御ユニット２の基本構成では実現できない新たな機能を容易に実現可能となる。また、第２〜第４の制御ユニット３、３Ａ、３Ｂで実現される機能が不要になれば、第２〜第４の制御ユニット３、３Ａ、３Ｂを簡単に取り外すことができる。つまり、本実施形態に係る照明制御装置Ａ、照明装置Ｂ及び照明器具Ｃは、ハードウェアの追加を要する機能を容易に追加可能となる。
【００８５】
また、電源ユニット１や第１の制御ユニット２は、照明制御装置、照明装置及び照明器具を構成する基本的な構成要素であり、光源ユニットの性能が将来的に向上しても、回路構成を変更せずにそのまま使用できる可能性が高い。一方、初期照度補正やタイマ制御、センサ制御などの機能は、必要に応じて追加・削除される場合がある。また、これらの機能以外の新たな機能については、別途、ハードウェアの追加を要する可能性が高い。したがって、第１の制御ユニット２とは別の制御ユニットを用意し、第１の制御ユニット２には、別の制御ユニットを追加可能とするインタフェース（第１インタフェース部２６）を設ける。これにより、照明制御装置、照明装置及び照明器具の開発コスト・製造コストの削減を図ることができる。
【００８６】
上述のように本実施形態に係る照明制御装置Ａは、外部電源６から供給される電力を電力変換して光源ユニット４に供給する電源ユニット１と、電源ユニット１を制御して光源ユニット４に供給される出力電力を調整させる第１の制御ユニット２とを有する。第１の制御ユニット２は、第１制御部２０と、調光信号出力部２１と、第１インタフェース部２６とを備える。第１制御部２０は、調光信号出力部２１から電源ユニット１へ調光信号を出力させるように構成される。調光信号出力部２１は、電源ユニット１に対して出力電力の大きさを指示する調光信号を出力するように構成される。第１インタフェース部２６は、第１制御部２０と第２の制御ユニット３との間で制御情報を授受させるように構成される。第１制御部２０は、第１インタフェース部２６を介して第２の制御ユニット３から制御情報を受け取った場合、制御情報に対応した調光信号を調光信号出力部２１から電源ユニット１へ出力させる。
【００８７】
本実施形態に係る照明制御装置Ａは上述のように構成されるので、第１の制御ユニット２の第１インタフェース部２６に第２の制御ユニット３を接続すれば、ハードウェアの追加を要する機能を容易に追加可能となる。
【００８８】
本実施形態に係る照明制御装置Ａにおいて、第２の制御ユニット３は、周囲の環境を検知する環境検知部３１を備えることが好ましい。また、第２の制御ユニット３は、環境検知部３１の検知結果に応じて制御情報を生成し、かつ、生成した制御情報を第１インタフェース部２６に送出する第２制御部３０を備えることが好ましい。
【００８９】
本実施形態に係る照明制御装置Ａが上述のように構成されれば、人の存在や明るさなどの周囲の環境に応じて光源ユニット４を制御することができる。
【００９０】
本実施形態に係る照明制御装置Ａにおいて、第２の制御ユニット３は、時間をカウントするタイマを備えることが好ましい。また、第２の制御ユニット３は、タイマでカウントする時間（例えば、累積点灯時間）に応じて制御情報を生成し、かつ、生成した制御情報を第１インタフェース部２６に送出する第２制御部３０を備えることが好ましい。
【００９１】
本実施形態に係る照明制御装置Ａが上述のように構成されれば、光源ユニット４をタイマ制御することができる。
【００９２】
本実施形態に係る照明制御装置Ａにおいて、第１インタフェース部２６は、第１コネクタを有することが好ましい。第１コネクタは、第２の制御ユニット３が備える第２コネクタと着脱可能に電気的かつ機械的に接続されることが好ましい。なお、第１コネクタは、２種類のレセプタクルコネクタ５０、５２のいずれか一方、若しくは、２種類のプラグコネクタ５１、５３のいずれか一方であることが好ましい。また、第２コネクタは、２種類のプラグコネクタ５１、５３のうち、第１コネクタと接続可能ないずれか一方、若しくは、２種類のレセプタクルコネクタ５０、５２のうち、第１コネクタと接続可能ないずれか一方であることが好ましい。
【００９３】
本実施形態に係る照明制御装置Ａが上述のように構成されれば、第２の制御ユニット３を追加する作業や、削除する作業の作業性の向上を図ることができる。
【００９４】
本実施形態に係る照明制御装置Ａにおいて、電源ユニット１は、電力変換回路（第１降圧チョッパ回路１２Ａ及び第２降圧チョッパ回路１２Ｂ）と、調光信号に応じて電力変換回路を制御する制御回路１３とを備えることが好ましい。また、電源ユニット１は、電力変換回路及び制御回路１３の動作用電源を生成する動作用電源回路１８を備えることが好ましい。第１の制御ユニット２の第１制御部２０は、動作用電源で動作するように構成されることが好ましい。
【００９５】
本実施形態に係る照明制御装置Ａが上述のように構成されれば、第１の制御ユニット２に動作用電源の電源回路を設ける必要が無いので、第１の制御ユニット２の回路構成の簡素化を図ることができる。
【００９６】
本実施形態に係る照明制御装置Ａにおいて、第１の制御ユニット２は、第１インタフェース部２６より第２の制御ユニット３へ動作用電源を供給するように構成されることが好ましい。第２の制御ユニット３は、動作用電源で動作するように構成されることが好ましい。
【００９７】
本実施形態に係る照明制御装置Ａが上述のように構成されれば、第２の制御ユニット３に動作用電源の電源回路を設ける必要が無いので、第２の制御ユニット３の回路構成の簡素化を図ることができる。
【００９８】
本実施形態に係る照明装置Ｂは、照明制御装置Ａと、照明制御装置Ａの出力電力が供給されて点灯する光源ユニット４とを有する。
【００９９】
また、本実施形態に係る照明器具Ｃは、照明装置Ｂと、照明装置Ｂを支持する器具本体７０とを有する。
【０１００】
本実施形態に係る照明装置Ｂ及び照明器具Ｃは上述のように構成されるので、ハードウェアの追加を要する機能を容易に追加可能となる。
【符号の説明】
【０１０１】
Ａ  照明制御装置
Ｂ  照明装置
Ｃ  照明器具
１  電源ユニット
２  第１の制御ユニット
３  第２の制御ユニット
４  光源ユニット
６  外部電源
１２Ａ  第１降圧チョッパ回路（電力変換回路）
１２Ｂ  第２降圧チョッパ回路（電力変換回路）
１３  制御回路
１８  動作用電源回路
２０  第１制御部
２１  調光信号出力部
２６  第１インタフェース部
３０  第２制御部
３１  環境検知部
５０  レセプタクルコネクタ（第１コネクタ）
５１  プラグコネクタ（第２コネクタ）
５２  レセプタクルコネクタ（第１コネクタ）
５３  プラグコネクタ（第２コネクタ）
【図１】
0006593750.tif 000002
【図２】
0006593750.tif 000003
【図３】
0006593750.tif 000004
【図４】
0006593750.tif 000005
【図５】
0006593750.tif 000006
【図６】
0006593750.tif 000007
【図７】
0006593750.tif 000008